(57)【特許請求の範囲】
【請求項１】
治具挿入孔を有する蓋体と該蓋体を受ける受枠との間に配設され、前記蓋体と前記受枠との係合及びその解除とを行うようにした地下構造物用ロック装置において、
前記受枠に形成された受け爪と、
前記蓋体に第１の軸を中心に回動自在に支承され一端が前記治具挿入孔から露出する第１のレバーと、前記蓋体に第２の軸を中心に回動自在に支承され一端に前記受け爪と係合する係合爪が形成された第２のレバーと、該第２のレバーの一端と前記第１のレバーの他端との間を連結するリンクアームとを有し、前記第１のレバーには、前記リンクアームの一端を回動自在に支承する軸が嵌着する嵌挿孔が穿設され、前記第２のレバーには、前記リンクアームの他端を回動自在に支承する軸が嵌着する嵌挿孔が穿設されており、前記第１のレバーの一端を前記第１の軸を中心に一方向へ回転させることにより、前記リンクアームを介して前記第２のレバーの係合爪を前記受け爪と対向する位置から離間させ、また前記第１のレバーの一端を前記第１の軸を中心に他方向へ回転させることにより、前記リンクアームを介して前記第２のレバーの係合爪を前記受け爪と対向する位置に位置決めさせるリンク式係合レバーと、
前記第１のレバーを、前記第１の軸を中心に前記他方向へ常時付勢して前記リンク式係合レバーの前記係合爪を前記受け爪と対向する位置に常時位置決め付勢する付勢手段とを具えたことを特徴とする地下構造物用ロック装置。
【発明の詳細な説明】
【０００１】
【発明の属する技術分野】
この発明は、マンホール等の地下構造物を構成する蓋体が、予期せぬ自然災害等の要因により拡開してしまうことを防止する地下構造物用ロック装置の改良に関する。
【０００２】
【従来の技術】
従来から、マンホール等の地下構造物では、大雨等の自然災害の際に、排水管内を流れる排水の圧力が異常に上昇し、これによりマンホールの蓋体が押し上げられて拡開してしまうことを未然に防止するため、蓋体と、この蓋体を受け止める受枠の内周縁との間にロック装置を介在させるようにしたものがある。
【０００３】
図１０は上述した地下構造物用ロック装置の従来例を示す要部断面図で、特に地下構造物としてマンホールの蓋体１と、それを受ける受枠２の要部を示したものである。
【０００４】
この蓋体１は受枠２に対し、図示せぬ蝶番等の連結手段を介し開閉自在に支承されており、その他端には図示のようにロック装置３が介在されている。
【０００５】
このロック装置３は、蓋体１に形成された工具挿入孔（バール孔）４の下方に軸５を中心に回動自在に支承されたロック爪本体６と、このロック爪本体６の上面からその下方へ向けて昇降自在に嵌挿された嵌挿軸７ａを有する昇降レバー７と、この昇降レバー７を常時上方へ付勢する付勢手段であるコイルバネ８とから構成されている。なお、上述した嵌挿軸７ａはロック爪本体６内に配設された図示せぬストッパーにより、図１０の初期位置から上方へは突出しない構造となっている。
【０００６】
一方、環状の受枠２の内周縁下方であって、前記ロック爪本体６に突設された係合爪６ａと対向する位置には、当該係合爪６ａと係合する受け爪２ａが突設されている。
【０００７】
このような構造のロック装置３によると、大雨等の自然災害の際に、排水管内を流れる排水の圧力が異常に上昇し、これによりマンホールの蓋体１が矢印Ａのように押し上げられると、蓋体１の係合爪６ａと受枠２の受け爪２ａとが互いに係合し、これにより蓋体１の拡開が防止されることとなる。
【０００８】
一方、マンホールの保守点検等の際に蓋体１を拡開するには、上述したロック装置３による受枠２と蓋体１との係合ロックを解除させるが、その場合、上述した従来例のものでは、図１１で示すように、まずバール等の治具１０を工具挿入孔（バール孔）４内に挿入して昇降レバー７に当接させ、これによりコイルバネ８の付勢力に抗して昇降レバー７を下方へ下降させる。
【０００９】
次に、図１２で示すように、治具１０による昇降レバー７の押圧を維持したまま、当該治具１０を昇降レバー７の上面に沿って移動させると、昇降レバー７に対する治具１０の押圧方向が変化し、これによりロック爪本体６が軸５を中心に反時計方向へ所定の角度回転するので、蓋体１の係合爪６ａが受枠２の受け爪２ａと対向する位置からずれることとなる。
【００１０】
その後、図１３で示すように、蓋体１を図示せぬ蝶番を支点として時計方向へ回転させれば、蓋体１の係合爪６ａと受枠２の受け爪２ａとの係合ロックが解除され、これにより受枠２に対して蓋体１がスムーズに拡開する。
【００１１】
なお、蓋体１を閉塞するには、治具１０を取り除いた後、図１３で示す位置から、蓋体１を反時計方向へ回転させればよい。
【００１２】
ところで、蓋体１を閉塞させる際、蓋体１を反時計方向へ回転させると、ロック爪本体６の係合爪６ａと受枠２の受け爪２ａとが当接する場合があるが、その場合は当接の勢いでロック爪本体６が軸５を中心に反時計方向へ回転するので、係合爪６ａと受け爪２ａとの当接が解除されて、係合爪６ａが受け爪２ａに対し外側に回り込み、その後、ロック爪本体６が自重により軸５を中心として時計方向へ回転して受け爪２ａの下側に回り込むので、ロック爪本体６は図１０の初期位置に復帰し、ロック装置３による蓋体１のロックが図られることとなる。
【００１３】
【発明が解決しようとする課題】
ところで、上述した従来の地下構造物用ロック装置３によると、蓋体１を拡開するには、図１１で示すように、治具１０により昇降レバー７を一旦押圧し、その後、さらに図１２で示すように昇降レバー７に沿って治具１０をスライド移動させる操作が必要があるから、そのロック解除の作業が煩雑で、地下構造物の保守点検作業が面倒である難点があった。
【００１４】
また、従来のものでは図１０で示すように、ロック爪本体６が軸５を中心に回動自在に支承され、かつ自重により軸５を中心に回動するから、例えば傾斜面に受枠２が配設されている場合は、自重によりにロック爪本体６が軸５を中心に反時計方向へ回転してしまい、このため蓋体１の係合爪６ａを受枠２の受け爪２ａと対向する位置に位置決めすることができず、そのロック機能を果たすことができなくなる虞もある。
【００１５】
この発明は、上述した事情に鑑み、保守点検操作が容易で、しかも蓋体を確実にロックすることのできる地下構造物用ロック装置を提供する。
【００１６】
上述した課題を解決するため、この発明では、治具挿入孔を有する蓋体と該蓋体を受ける受枠との間に配設され、前記蓋体と前記受枠との係合及びその解除とを行うようにした地下構造物用ロック装置において、前記受枠に形成された受け爪と、前記蓋体に第１の軸を中心に回動自在に支承され一端が前記治具挿入孔から露出する第１のレバーと、前記蓋体に第２の軸を中心に回動自在に支承され一端に前記受け爪と係合する係合爪が形成された第２のレバーと、該第２のレバーの一端と前記第１のレバーの他端との間を連結するリンクアームとを有し、前記第１のレバーには、前記リンクアームの一端を回動自在に支承する軸が嵌着する嵌挿孔が穿設され、前記第２のレバーには、前記リンクアームの他端を回動自在に支承する軸が嵌着する嵌挿孔が穿設されており、前記第１のレバーの一端を前記第１の軸を中心に一方向へ回転させることにより、前記リンクアームを介して前記第２のレバーの係合爪を前記受け爪と対向する位置から離間させ、また前記第１のレバーの一端を前記第１の軸を中心に他方向へ回転させることにより、前記リンクアームを介して前記第２のレバーの係合爪を前記受け爪と対向する位置に位置決めさせるリンク式係合レバーと、前記第１のレバーを、前記第１の軸を中心に前記他方向へ常時付勢して前記リンク式係合レバーの前記係合爪を前記受け爪と対向する位置に常時位置決め付勢する付勢手段とを具えている。
【００１７】
【発明の実施の形態】
以下、この発明に係わる地下構造物用ロック装置の一実施例を詳述する。
【００１８】
図１はこの発明に係わる地下構造物用ロック装置３０の要部断面図で、特に地下構造物としてマンホールの蓋体２０と、それを受ける受枠２１の要部を示したものである。
【００１９】
この蓋体２０も従来と同様に受枠２１に対し、図示せぬ蝶番等の連結手段を介し開閉自在に支承されており、その他端には図示のよう本願発明に係わるロック装置３０が介在されている。
【００２０】
このロック装置３０は、受枠２１の内周縁下方に突設された断面略Ｌ字形状の一対の受け爪２１ａ、２１ｂと前記蓋体２０の背面に配設されたリンク式係合レバー３１とから構成されている。なお、この受け爪２１ａ、２１ｂは前記受枠２１内周縁の周方向に沿い一定の間隔を設けて一対突設されている。
【００２１】
一方、前記蓋体２０の上面には治具挿入孔（バール孔）２２が穿設され、この治具挿入孔（バール孔）２２と対向する蓋体２０の背面にはリンク式係合レバー３１を取り付けるための凹部２３が一体形成されている。なおこの凹部２３については後述する。
【００２２】
次に、上述したリンク式係合レバー３１を詳述する。
【００２３】
このリンク式係合レバー３１は前記凹部２３内に回動自在に支承された第１のレバー２４と第２のレバー２５とからなり、この第１のレバー２４と第２のレバー２５はリンクアーム２６により互いに連結されている。
【００２４】
このうち、第１のレバー２４は側面略くの字形状に形成され、前記凹部２３の壁部に支承された第１の軸２８を中心に回動自在に支承されている。そして、その一端は２４ａは、前記治具挿入孔（バール孔）２２内に露出している。
【００２５】
この第１のレバー２４には図２の上面図で示すように、その中間部に前記軸２８が一体に形成されており、また図２の左側面図で示す図３のように、第１のレバー２４の他端２４ｂは二股に分岐され、その間には前記リンクアーム２６（図１）が嵌挿するスリット２４ｃが形成されている。なお、この第１のレバー２４の他端２４ｂには図１に示す前記リンクアーム２６の一端２６ａを回動自在に支承する軸２９が嵌着する嵌挿孔２４ｄがそれぞれ穿設されている。
【００２６】
一方、上述した図２に示す第１のレバー２４に形成された軸２８の一方２８ａは、蓋体２０の要部背面図で示す図４のように、凹部２３を構成する側壁の一部２３ａに穿設された孔２３ｂ内に回動自在に支承され、また図２に示す軸２８の他方２８ｂは図４に示す凹部２３に形成された溝２３ｃ内に位置決めされる。
【００２７】
なお、この溝２３ｃの下流は、ボルト４０とこのボルト４０に螺着したナット４１とからなる抜け止め手段４２により塞がれ、図１に示すように軸２８の他端２８ｂが溝２３ｃ内から下方へ落下することなく、その溝２３ｃ内で回動自在に支承されている。
【００２８】
一方、図１で示すように、リンク式係合レバー３１を構成する第２のレバー２５は側面略Ｌの字形状に形成され、前記凹部２３の壁部に支承された第２の軸４０を中心に回動自在に支承されている。
【００２９】
この第２のレバー２５は、図１の右側面図で示す図５のように、爪部本体２５ａから上方へ延設された一対のアーム２５ｂ、２５ｃからなり、この一対のアーム２５ｂ、２５ｃの上端にはそれぞれ当該第２のレバー２５を回動自在に支承する前記第２の軸４０がそれぞれ突設されている。
【００３０】
また、図５のＢＢ断面で示す図６のように爪部本体２５ａの正面には図１に示す一対の受け爪２１ａ、２１ｂと係合する一対の係合爪４１、４２が突出形成されている。
【００３１】
なお、図６で示すように、爪部本体２５ａの背面には一対のリブ２５ｄ、２５ｅが突出形成され、この一対のリブ２５ｄ、２５ｅ内には図１に示すリンクアーム２６の他端２６ｂを回動自在に支承する軸４３が嵌着する嵌挿孔４４がそれぞれ穿設されている。
【００３２】
一方、上述した図５に示す第２のレバー２５に形成された各軸４０の一方４０ａは、蓋体２０の要部背面図で示す図４のように、凹部２３を構成する側壁の一部２３ｄに穿設された孔２３ｅ内に回動自在に支承され、また図５に示す軸４０の他方４０ｂは図４に示す凹部２３の側壁の一部２３ｆに形成されたＵ字形の溝２３ｇ内に嵌挿している。
【００３３】
なお、この溝２３ｇの開口は、図４で示すように、ボルト５０とこのボルト５０に螺着したナット５１とからなる抜け止め手段５２により塞がれ、軸４０の他端４０ｂが溝２３ｇ内から脱落すること無く、その溝２３ｇ内で回動自在に支承されるようにしている。
【００３４】
また、図１で示すように、リンク式係合レバー３１の係合爪４１、４２を常時は前記受け爪２１ａ、２１ｂと対向する位置に位置決め付勢すべく、第１のレバー２４を軸２８を中心に時計方向へ付勢するコイルバネ６０からなる付勢手段６１が軸２８に巻回されている。なお、このコイルバネ６０は図３に示す軸２８の一方２８ａと他方２８ｂの双方にそれぞれ巻回配置させるようにしても良い。
【００３５】
次に、上述したロック装置３０の作用を説明する。
【００３６】
上述したロック装置３０によると、大雨等の自然災害の際に、排水管内を流れる排水の圧力が異常に上昇し、これによりマンホールの蓋体２０が図１の矢印Ａのように押し上げられると、蓋体２０の一対の係合爪４１、４２と、対向する受枠２１の一対の受け爪２１ａ、２１ｂとが互いに係合ロックし、これにより蓋体２０の拡開が防止されることとなる。
【００３７】
一方、マンホールの保守点検等の際に蓋体２０を拡開するには、上述したロック装置３０による受枠２１と蓋体２０との係合ロックを解除させるが、その場合、本願発明のロック装置３０では、図７で示すように、バール等の治具１０を工具挿入孔（バール孔）２２内に挿入し、これによりリンク式係合レバー３１を構成する第１のレバー２４の一端２４ａに当接させる。
【００３８】
すると、第１のレバー２４は、コイルバネ６０からなる付勢手段６１の付勢力に抗して軸２８を中心に反時計方向へ回転する。
【００３９】
このように、第１のレバー２４が軸２８を中心に反時計方向へ回転すると、リンクアーム２６を介し、第２のレバー２５も連動して軸４０を中心に反時計方向へ回転する。
【００４０】
一方、この第２のレバー２５が第１のレバー２４に連動して軸４０を中心に反時計方向へ回転すると、蓋体２０の係合爪４１、４２が受枠２１の受け爪２１ａ、２１ｂと対向する位置から外れて蓋体２０の係合ロックが解除されることとなる。
【００４１】
このように、蓋体２０の係合爪４１、４２が受枠２１の受け爪２１ａ、２１ｂと対向する位置から外れた状態で、蓋体２０を図示せぬ蝶番を支点として時計方向へ回転させると、図８で示すように蓋体２０の係合爪４１、４２と受枠２１の受け爪２１ａ、２１ｂとの係合が解除され、これにより受枠２１に対して蓋体２０がスムーズに拡開することとなる。
【００４２】
即ち、上述したロック装置３０では、図７に示すように、マンホールの保守点検等の際に蓋体２０を拡開すべく、ロック装置３０のロックを解除するには、バール等の治具１０を工具挿入孔（バール孔）２２内に挿入し、これによりリンク式係合レバー３１を構成する第１のレバー２４の一端２４ａを押すだけで良いこととなる。
【００４３】
なお、蓋体２０を閉塞するには、治具１０を取り除いた後、図８で示す位置から、蓋体２０を図示せぬ蝶番を中心に反時計方向へ回転させればよい。
【００４４】
なお、蓋体２０を閉塞させる際、蓋体２０を反時計方向へ回転させると、図９で示すように、第２のレバー２５の係合爪４１、４２と受枠２１の受け爪２１ａ、２１ｂとが当接するが、その当接の際に加わる力により、当該第２のレバー２５はコイルバネ６０からなる付勢手段６１に抗して軸４０を中心に反時計方向へ回転し、また第１のレバー２４もリンクアーム２６を介して軸２８を中心に反時計方向へ回転するので、係合爪４１、４２と受け爪２１ａ、２１ｂとの当接が解除され、またその後、係合爪４１、４２が受け爪２１ａ、２１ｂに対し外側に回り込み、次に第１のレバー２４がコイルバネ６０からなる付勢手段６１により、軸２８を中心に時計方向へ回転するので、これに連動して第２のレバー２５も軸４０を中心に時計方向へ回転し、係合爪４１、４２を受け爪２１ａ、２１ｂの下側に回り込ませるので、第２のレバー２５は図１の初期位置に復帰し、ロック装置３０による蓋体２０の係合ロックが図られることとなる。
【００４５】
なお、図１で示すように、ロック装置３０のリンク式係合レバー３１はコイルバネ６０からなる付勢手段６１により、係合爪４１、４２を常時は前記受け爪２１ａ、２１ｂと対向する位置に位置決め付勢するようにしているから、例えば傾斜面に受枠２１が配設されている場合でも、コイルバネ６０からなる付勢手段６１によりリンク式係合レバー３１の係合爪４１、４２は受け爪２１ａ、２１ｂと対向する位置に常時位置決めされるので、そのロック機能が安定して維持され、解除されることはない。
【００４６】
【発明の効果】
以上説明したように、この発明では地下構造物用ロック装置を、リンク式係合レバーと、このリンク式係合レバーの係合爪を常時は受け爪と対向する位置に位置決め付勢する付勢手段とから構成するようにしたため、ロック装置の係合ロックを解除する際に、バール等の治具を工具挿入孔（バール孔）内に単に挿入する操作を行うだけでよく、このためマンホール等の地下構造物の保守点検操作が極めて容易となる。
【００４７】
また、リンク式係合レバーの係合爪を受け爪と対向する位置に常時位置決め付勢する付勢手段を配設したため、傾斜地に地下構造物を設置する場合や、あるいは振動等が加わる等の要因で蓋体が偶然に開蓋する事態を可及的に低減し、これにより安定した蓋体のロック機能を維持することのできる地下構造物用ロック装置を提供することができる。
【図面の簡単な説明】
【図１】図１はこの発明に係わる地下構造物用ロック装置の要部断面図。
【図２】図２は第１のレバーの上面図。
【図３】図３は図２の左側面図。
【図４】図４は蓋体の要部背面図。
【図５】図５は第２のレバーの背面図。
【図６】図６は図５のＢＢ断面図。
【図７】図７はこの発明に係わる地下構造物用ロック装置の作用を示す要部断面図。
【図８】図８はこの発明に係わる地下構造物用ロック装置の作用を示す要部断面図。
【図９】図９はこの発明に係わる地下構造物用ロック装置の作用を示す要部断面図。
【図１０】図１０は従来の地下構造物用ロック装置の作用を示す要部断面図。
【図１１】図１１は従来の地下構造物用ロック装置の要部断面図。
【図１２】図１２は従来の地下構造物用ロック装置の作用を示す要部断面図。
【図１３】図１３は従来の地下構造物用ロック装置の作用を示す要部断面図。
【符号の説明】
２０…蓋体
２１…受枠
２１ａ、２１ｂ…受け爪
２２…治具挿入孔
２４…第１のレバー
２５…第２のレバー
２６…リンクアーム
２８…第１の軸
３０…地下構造物用ロック装置
４０…第２の軸
４１、４２…係合爪
３１…リンク式係合レバー
６０…付勢手段
【図１】
0004489266.tif 000002
【図２】
0004489266.tif 000003
【図３】
0004489266.tif 000004
【図４】
0004489266.tif 000005
【図５】
0004489266.tif 000006
【図６】
0004489266.tif 000007
【図７】
0004489266.tif 000008
【図８】
0004489266.tif 000009
【図９】
0004489266.tif 000010
【図１０】
0004489266.tif 000011
【図１１】
0004489266.tif 000012
【図１２】
0004489266.tif 000013
【図１３】
0004489266.tif 000014